(57)【要約】【課題】香水の容器のように取出口の径が多種類ある容器でも、各取出口に対応して多くの容器に共用することが可能な香水詰替え用ノズルを提供する。【解決手段】市販の香水容器に装着する香水詰替え用ノズルを設ける。取出口１１から取外した操作頭部２０の替りに嵌合せしめる交換用操作頭部１を設ける。交換用操作頭部１に、取出口１１に嵌合部２Ａと連結凹部２Ｂとを有する接続口２を設ける。嵌合部２Ａの直径が異なった複数の接続口２を交換用操作頭部１に形成する。一方の接続口２の嵌合部２Ａに取出口１１を嵌合する。他方の接続口２の連結凹部２Ｂに小分けパイプ３を連結する。【選択図】  図１
2014117555.tif 000002
【特許請求の範囲】
【請求項１】
容器の口部に装着するピストンパイプの上端部に形成された取出口と、該取出口に着脱自在に設けられピストンパイプの押し込み操作で内容液を取出す操作頭部とが設けられた市販の香水容器に装着する香水詰替え用ノズルにおいて、
取出口から取外した操作頭部の替りに取出口に嵌合せしめる交換用操作頭部と、該交換用操作頭部に着脱自在に連結される小分けパイプとを備え、
交換用操作頭部に、取出口に嵌合せしめる嵌合部と、該嵌合部の底部に形成され小分けパイプを連結せしめる連結凹部とからなる接続口を設け、
嵌合部の直径が異なった複数の接続口を交換用操作頭部に形成し、
一方の接続口の嵌合部に取出口を嵌合し、他方の接続口の連結凹部に小分けパイプを連結するように構成したことを特徴とする香水詰替え用ノズル。
【請求項２】
前記嵌合部の内周面を入口がわから内部に向けて窄まるテーパー状に形成し、各嵌合部が複数のサイズの取出口に適合するように構成した請求項１記載の香水詰替え用ノズル。
【請求項３】
前記接続口は、前記嵌合部と前記連結凹部とが同心状に形成され、各連結凹部は同じ径の前記小分けパイプを連結するように構成された請求項１又は２記載の香水詰替え用ノズル。
【請求項４】
前記香水容器は、弾性復元機構を介して上方に突出するピストンパイプの取出口から内容液を取出す操作頭部が取付けられ、容器内部の内容液を吸い上げる吸上げパイプとピストンパイプとの間に連結パイプが取付けられると共に、逆止弁が設けられた市販の香水容器である請求項１記載の香水詰替え用ノズル。
【発明の詳細な説明】
【技術分野】
【０００１】
本発明は、化粧ビンに入っている香水を携帯用の容器に詰め替える際に使用する香水詰替え用ノズルに関する。
【背景技術】
【０００２】
特許文献１に従来の詰替え用ノズルが記載されている。この詰替え用ノズルは、押圧操作頭部と分取パイプとを連結した構成で、各種香水容器における取出口に共用することができるようにするため、香水の容器取出口に嵌合する係合部を多段に形成したものである。
【先行技術文献】
【特許文献】
【０００３】
【特許文献１】特許第４０３２１３２号公報
【発明の概要】
【発明が解決しようとする課題】
【０００４】
特許文献１に記載の詰替え用ノズルは、香水容器の取出口に嵌合する係合部を多段に形成することで、各種香水容器における取出口に共用することができるようにしているが、共用可能になるのは、多段に形成した係合部の各径に一致する取出口に限られるものであった。すなわち、係合部の径を二段にした場合は、二種類の径の取出口に対応し、係合部の径を三種類にした場合は、三種類の径の取出口に対応することが可能になる。
【０００５】
ところが、香水の容器は、容量の違いの外に種類やブランドなどで多種多様の容器が提供されており、これに伴って、香水容器に使用される取出口の径も多様な径が使用されているのが現状である。そのため、特許文献１に記載の詰替え用ノズルのように、取出口に嵌合する係合部を多段に形成したものでは、適合可能な容器が段の数に限定されてしまうといった不都合が生じていた。しかも、係合部を多段に形成したものでは、入口がわに近い係合部に係合した状態は目視できるとしても、内部の係合部に係止した状態は、目視による確認が困難であった。
【０００６】
そこで、本発明は上述の課題を解消すべく創出されたもので、香水の容器のように取出口の径が多種類あっても、各取出口に対応して多くの容器に共用することが可能になり、取出口の径が僅かに異なっている場合でも確実に嵌合せしめることが可能な香水詰替え用ノズルの提供を目的とするものである。
【課題を解決するための手段】
【０００７】
上述の目的を達成すべく本発明における第１の手段は、容器Ｐの口部に装着するピストンパイプ１０の上端部に形成された取出口１１と、該取出口１１に着脱自在に設けられピストンパイプ１０の押し込み操作で内容液を取出す操作頭部２０とが設けられた市販の香水容器に装着する香水詰替え用ノズルにおいて、取出口１１から取外した操作頭部２０の替りに取出口１１に嵌合せしめる交換用操作頭部１と、該交換用操作頭部１に着脱自在に連結される小分けパイプ３とを備え、交換用操作頭部１に、取出口１１に嵌合せしめる嵌合部２Ａと、該嵌合部２Ａの底部に形成され小分けパイプ３を連結せしめる連結凹部２Ｂとからなる接続口２を設け、嵌合部２Ａの直径が異なった複数の接続口２を交換用操作頭部１に形成し、一方の接続口２の嵌合部２Ａに取出口１１を嵌合し、他方の接続口２の連結凹部２Ｂに小分けパイプ３を連結するように構成したことにある。
【０００８】
第２の手段において、前記嵌合部２Ａの内周面を入口がわから内部に向けて窄まるテーパー状に形成し、各嵌合部２Ａが複数のサイズの取出口１１に適合するように構成したものである。
【０００９】
第３の手段の前記接続口２は、前記嵌合部２Ａと前記連結凹部２Ｂとが同心状に形成され、各連結凹部２Ｂは同じ径の前記小分けパイプ３を連結するように構成されている。
【００１０】
第４の手段の前記香水容器Ｐは、弾性復元機構３０を介して上方に突出するピストンパイプ１０の取出口１１から内容液を取出す操作頭部２０が取付けられ、容器Ｐ内部の内容液を吸い上げる吸上げパイプ５０とピストンパイプ１０との間に連結パイプ４０が取付けられると共に、逆止弁６０が設けられた市販の香水容器である。
【発明の効果】
【００１１】
本発明の請求項１によると、交換用操作頭部１に、取出口１１に嵌合せしめる嵌合部２Ａと、該嵌合部２Ａの底部に形成され小分けパイプ３を連結せしめる連結凹部２Ｂとからなる接続口２を設け、嵌合部２Ａの直径が異なった複数の接続口２を交換用操作頭部１に形成し、一方の接続口２の嵌合部２Ａに取出口１１を嵌合し、他方の接続口２の連結凹部２Ｂに小分けパイプ３を連結するように構成したことにより、取出口１１の径が異なっている場合でも、接続口２の嵌合部２Ａを選択することにより取出口１１に対応して交換用操作頭部１を装着することができる。この結果、市販の香水用の容器Ｐから所定の携帯用容器に香水を確実に小分けすることができる。しかも、従来のごとく係合部を多段に形成したものでは、内部の嵌合状態の確認が困難になるが、別体に形成した嵌合部２Ａを選択することで、常に嵌合状態を確認することができる。
【００１２】
請求項２のごとく、接続口２の嵌合部２Ａの内周面を入口がわから内部に向けて窄まるテーパー状に形成し、各嵌合部２Ａが複数のサイズの取出口１１に適合するように構成したことで、取出口１１の径が僅かに異なっている場合でも、これらの取出口１１に精密に嵌合することができる。しかも、交換用操作頭部１には、径が異なった複数の嵌合部２Ａを形成しているので、大小各サイズの取出口１１はもとより、サイズごとに微妙に変化している取出口１１全てに対応することが可能になった。
【００１３】
請求項３のように、前記接続口２は、前記嵌合部２Ａと前記連結凹部２Ｂとが同心状に形成され、各連結凹部２Ｂは同じ径の前記小分けパイプ３を連結するように構成したことで、接続口２の嵌合部２Ａを選択しながら、連結凹部２Ｂに小分けパイプ３を連結できるので、合理的な使用が可能になる。
【００１４】
請求項４のごとく、本発明で使用可能な容器Ｐは、弾性復元機構３０を介して上方に突出するピストンパイプ１０の取出口１１から内容液を取出す操作頭部２０が取付けられ、容器Ｐ内部の内容液を吸い上げる吸上げパイプ５０とピストンパイプ１０との間に連結パイプ４０が取付けられると共に、逆止弁６０が設けられた市販の香水容器であるから、多くの容器Ｐに使用することができる。
【図面の簡単な説明】
【００１５】
【図１】本発明の使用状態を示す一部切欠側面図である
【図２】（イ）は本発明の装着前の側断面図、（ロ）は装着後の側断面図である。
【図３】（イ）は本発明の装着前の側断面図、（ロ）は装着後の側断面図である。
【図４】（イ）乃至（ハ）は、本発明の嵌合部の嵌合例を示す一部側断面図である
【発明を実施するための形態】
【００１６】
このように本発明によると、香水の容器のように取出口の径が多種類ある容器でも、各取出口に対応して多くの容器に共用することが可能になり、取出口の径が僅かに異なっている場合でも確実に嵌合することができるといった当初の目的を達成した。
【００１７】
以下、本発明の実施例を説明する。本発明ノズルは、市販の香水容器に装着して携帯用容器に香水を小分けする際に使用するものである。
【００１８】
市販の香水容器とは、容器Ｐの口部に装着するピストンパイプ１０の上端部に形成された取出口１１と、該取出口１１に着脱自在に設けられピストンパイプ１０の押し込み操作で香水を取出す操作頭部２０とが設けられたものである。本発明は、この操作頭部２０の替りに交換用操作頭部１を取出口１１に装着する（図１参照）。
【００１９】
図示例の容器Ｐは、弾性復元機構３０を介して上方に突出するピストンパイプ１０が設けたられたもので、このピストンパイプ１０上端の取出口１１に操作頭部２０が取り付けられている。そして、この操作頭部２０を押し込み操作することで、容器Ｐ内部の香水を吸上げパイプ５０が吸い上げて操作頭部２０から香水を取出すように構成されている。そのため、吸上げパイプ５０とピストンパイプ１０との間に連結パイプ４０が取付けられると共に、逆止弁６０が設けられている。
【００２０】
本発明ノズルは、交換用操作頭部１と小分けパイプ３とを備えたものである。交換用操作頭部１は、取出口１１から取外した操作頭部２０の替りに取出口１１に嵌合する部材で、側面に複数の接続口２を形成している。
【００２１】
この接続口２は、嵌合部２Ａと連結凹部２Ｂとで構成する。そして、嵌合部２Ａに取出口１１を嵌合し、連結凹部２Ｂに小分けパイプ３を連結する。更に、交換用操作頭部１には、複数個の接続口２が形成されており、各接続口２の嵌合部２Ａはそれぞれ直径が異なるように設けられ、各接続口２は互いに連通している。
【００２２】
すなわち、複数の接続口２から取出口１１の径に対応する嵌合部２Ａを選択してこの取出口１１に嵌合する。残った接続口２の連結凹部２Ｂに小分けパイプ３を連結し、交換用操作頭部１の操作で香水を取出すものである（図２、図３参照）。図２では、大径の取出口１１に対応するために、各接続口２から大径の嵌合部２Ａを選択して取出口１１に嵌合する状態を示している（同図（イ）参照）。このとき、小分けパイプ３は別の接続口２の連結凹部２Ｂに連結する（同図（ロ）参照）。一方、図３では、小径の取出口１１に対応するために、各接続口２から小径の嵌合部２Ａを選択して取出口１１に嵌合する状態を示している（同図（イ）参照）。このとき、小分けパイプ３は別の接続口２の連結凹部２Ｂに連結する（同図（ロ）参照）。したがって、小分けパイプ３と各連結凹部２Ｂの径は一定である。
【００２３】
また、これらの嵌合部２Ａは、内周面が外側面がわから内部に向けて窄まるテーパー状に形成されており、一つの嵌合部２Ａにて複数のサイズの取出口１１に適合するように構成している（図４参照）。同図に示すごとく、嵌合部２Ａの中に進むほど直径が狭まるので、直径が僅かに相違する取出口１１でも確実に嵌合させることが可能になる。すなわち、同図（イ）のごとく、径が太い取出口１１の場合、嵌合部２Ａの僅かに広い外側面がわに取出口１１が嵌合する。また、同図（ロ）のように、（イ）よりも若干細い取出口１１の場合は、嵌合部２Ａの中間部で嵌合し、更に細い径の取出口１１は、同図（ハ）のごとく、嵌合部２Ａの内部で嵌合することになる。このように、取出口１１の３種類の径に対応した状態を示しているが、嵌合部２Ａの入口がわから内部に至る径は次第に狭くなっているので、取出口１１の径が僅かに相違するものでも確実に嵌合させることができるものである。
【００２４】
尚、本発明では、複数の挿入孔３で嵌合部２Ａの径を変えているので、特に嵌合部２Ａにテーパーを設けなくても取出口１１の異なる径に対応することは可能であるが、嵌合部２Ａの径をテーパー状に形成することで、より精密な対応が可能になるものである。
【００２５】
小分けパイプ３は、交換用操作頭部１に連結され、携帯用容器の内部に挿入する部材である。図示の小分けパイプ３は、交換用操作頭部１の側面に連結されている（図３参照）。
【００２６】
本発明ノズルを使用する場合は、取出口１１から操作頭部２０を取り外し、取出口１１の径に適合する嵌合部２Ａを選択して嵌合させる。次に小分けパイプ３を連結凹部２Ｂに連結した後、この小分けパイプ３を携帯用容器の内部に挿入し、交換用操作頭部１を操作することで、容器Ｐ内から携帯用容器内に香水を小分けするものである（図１参照）。
【００２７】
尚、図示例では２個の挿入孔３を形成しているが、挿入孔３の数を更に増加することも可能である。この場合、使用していない挿入孔３をキャップ等で塞ぐ必要がある。また、本発明の交換用操作頭部１や小分けパイプ３の形状や寸法、あるいは嵌合部２Ａの上端部と下端部との内径の差などは図示例に限定されるものではなく、本発明の要旨を変更しない範囲において自由に変更できるものである。更に、本発明では、香水の小分け用ノズルとして説明しているが、香水に限定されるものではなく、オーデコロンやその他の液状物など、市販の香水用の容器Ｐと同様の構成を有する容器Ｐに入った液体ならどのような液体でも小分けすることが可能である。
【符号の説明】
【００２８】
Ｐ  容器
１  交換用操作頭部
２  接続口
２Ａ  嵌合部
２Ｂ  連結凹部
３  小分けパイプ
１０  ピストンパイプ
１１  取出口
２０  操作頭部
３０  弾性復元機構
４０  連結パイプ
５０  吸上げパイプ
６０  逆止弁
【図１】
2014117555.tif 000003
【図２】
2014117555.tif 000004
【図３】
2014117555.tif 000005
【図４】
2014117555.tif 000006